(57)【要約】【課題】本発明は非接触媒体との通信方法及び装置に関し、通信装置と非接触媒体との間の通信を確実に行なうことができる非接触媒体との通信方法及び装置を提供することを目的としている。【解決手段】非接触媒体２０と通信装置とが通信装置内蔵の通信制御手段５を介して通信を行なう非接触媒体との通信装置において、通信装置の全体の動作を制御する制御手段１０と、非接触媒体２０が通信装置に近づいたことを検知する検知センサ４と、を具備し、該検知センサ４が非接触媒体２０が通信装置に近づいたことを検知したら、前記制御手段１０は、通信装置に付属しているＣＲＴの全部又は一部を一時動作停止にするように構成する。【選択図】　　　図２
2004133674.tif 000002
【特許請求の範囲】
【請求項１】
非接触媒体と通信装置とが通信装置内蔵の通信制御手段を介して通信を行なう場合において、
非接触媒体が通信装置に近づいたことを検知し（ステップ１）、
非接触媒体が近づいたことを検知したら、通信装置に対応して配置されているＣＲＴの全部又は一部を一時動作停止にし（ステップ２）、
非接触媒体と通信装置との間で通信を行なう（ステップ３）
ことを特徴とする非接触媒体との通信方法。
【請求項２】
前記非接触媒体が通信装置に近づいたことをタッチパネルで検知することを特徴とする請求項１記載の非接触媒体との通信方法。
【請求項３】
非接触媒体と通信装置とが通信装置内蔵の通信制御手段を介して通信を行なう非接触媒体との通信装置において、
通信装置の全体の動作を制御する制御手段と、
非接触媒体が通信装置に近づいたことを検知する検知センサと、
を具備し、
該検知センサが非接触媒体が通信装置に近づいたことを検知したら、前記制御手段は、通信装置に付属しているＣＲＴの全部又は一部を一時動作停止にすることを特徴とする非接触媒体との通信装置。
【請求項４】
前記ＣＲＴに検知センサとしてのタッチパネルを設け、該タッチパネルは非接触媒体がＣＲＴに接触した時に非接触媒体が近づいたと判定して前記制御手段に通知することを特徴とする請求項３記載の非接触媒体との通信装置。
【請求項５】
前記ＣＲＴの断面構成は、最外側にタッチパネル、その内側にアンテナ、該アンテナの内側に電磁シールド、該電磁シールドの内側に表示面を形成したものであることを特徴とする請求項４記載の非接触媒体との通信装置。
【発明の詳細な説明】
【０００１】
【発明の属する技術分野】
本発明は非接触媒体との通信方法及び装置に関し、更に詳しくは非接触媒体に対応するサービスを提供する方法及び装置に関する。
【０００２】
【従来の技術】
従来より非接触ＩＣカードを用いた通信システムが知られている。例えば、非接触ＩＣカード内にスイッチを設け、動作、非動作を設定することができるようにしたものが知られている（例えば特許文献１参照）。
【０００３】
また、ＩＣカードと通信装置間にそれぞれループアンテナを用い、通信装置からＩＣカードに電力とデータを送信し、ＩＣカードから通信装置に対してデータを送信するシステムが知られている（例えば特許文献２参照）。
【０００４】
従来、ＩＣカード等の非接触媒体を利用して情報提供や料金の精算等を行なう場合には、通信装置専用の通信制御手段（例えばアンテナ及びその付属回路）を設け、その周辺に非接触媒体が近づいたことを検出して、非接触媒体との通信を行なっている。
【０００５】
この場合において、非接触媒体と通信装置との間の通信を確実にするため、システム的には不要な操作（タッチアンドゴー（ＩＣカードを検知部に接触させてＩＣカードの読み込みを行わせた後にカードを取り上げ前方に進むこと））を利用者に依頼することにより、通信制御手段との距離を短かくして、通信品質を確保している。
【０００６】
また、２つの通信制御手段を設置し、一方の通信手段で非接触媒体の接近を検出して通信の準備を行ない、他方の通信手段で実際の通信を行なう方法がとられている。
【０００７】
また、無線通信のためのアンテナを設置する場合、アンテナ全体を防磁素材で覆い、アンテナの近くにスリットを設け、そのスリットに非接触媒体を入れることで、アンテナと非接触媒体間の通信の安定化を図っている。
【０００８】
【特許文献１】
特開２００１−７６１０８号公報（第２頁、３頁、図１）
【特許文献２】
特開２００１−９４４８５号公報（第３頁、４頁、図１）
【０００９】
【発明が解決しようとする課題】
前記したような防磁処理をした内部にアンテナを設置しない場合、外部からの電磁ノイズにより通信が阻害される場合がある。例えば、通信装置にＣＲＴ等の電磁波を放射するディスプレイを接続している場合、通信が阻害されるおそれがある。マルチモニタ等のように複数のＣＲＴ装置が非接触媒体とアンテナの周辺に存在する場合には、特に影響が大きくなる。
【００１０】
ここで、電磁ノイズの影響をなくすために、専用の通信制御手段を設けた場合、電磁ノイズ発生源からの距離を確保することができるが、ディスプレイとの距離もそれだけ遠ざかることになる。このため、利用者は、指示画面と通信制御手段の相互を見ながら作業を行なう必要があり、操作が煩雑である。
【００１１】
また、専用の通信制御手段を設けた場合、非接触媒体を保有する人を通信制御手段が通信できる距離まで導き、通信が終了するまで該当範囲にとどめておく必要がある。しかしながら、専用通信制御手段は、固定的な表示であり、状況に応じた情報表示を行なうのが難しい。
【００１２】
アンテナで非接触媒体の接近を常時監視することは、常時電波を発生させる必要があり、接近監視作業を行なう必要があり、システム上の負荷となる。また、近くに非接触媒体があることでシステムが動作すると、利用者が意図しない場合であるにもかかわらず、システムが動作することができる。このため、非接触媒体を取り扱う場合であっても、必要な時のみ動作させたいという要求がある。
【００１３】
本発明はこのような課題に鑑みてなされたものであって、通信装置と非接触媒体との間の通信を確実に行なうことができる非接触媒体との通信方法及び装置を提供することを目的としている。
【００１４】
【課題を解決するための手段】
（１）図１は本発明の原理を示すフローチャートである。本発明は、非接触媒体と通信装置とが通信装置内蔵の通信制御手段を介して通信を行なう場合において、非接触媒体が通信装置に近づいたことを検知し（ステップ１）、非接触媒体が近づいたことを検知したら、通信装置に対応して配置されているＣＲＴの全部又は一部を一時動作停止にし（ステップ２）、非接触媒体と通信装置との間で通信を行なう（ステップ３）ことを特徴とする。
【００１５】
ここで、「通信装置に対応して配置されている」とは、ＣＲＴが通信装置と接続されている場合、及びＣＲＴが該通信装置とは直接は接続されていないが、該通信装置から当該ＣＲＴのオン／オフを制御できる状態をいう。
【００１６】
このように構成すれば、通信装置と非接触媒体との間で通信を行なう時に、電磁波を放射するＣＲＴの全部又は一部を一時動作停止にすることにより、電磁波の影響を軽減することができ、通信装置と非接触媒体との間の通信を確実に行なうことができる。
（２）請求項２記載の発明は、前記非接触媒体が通信装置に近づいたことをタッチパネルで検知することを特徴とする。
【００１７】
このように構成すれば、非接触媒体が通信装置に近づいたことを確実に検知することができる。
（３）請求項３記載の発明は、非接触媒体と通信装置とが通信装置内蔵の通信制御手段を介して通信を行なう非接触媒体との通信装置において、通信装置の全体の動作を制御する制御手段と、非接触媒体が通信装置に近づいたことを検知する検知センサと、を具備し、該検知センサが非接触媒体が通信装置に近づいたことを検知したら、前記制御手段は、通信装置に付属しているＣＲＴの全部又は一部を一時動作停止にすることを特徴とする。
【００１８】
このように構成すれば、通信装置と非接触媒体との間で通信を行なう時に、電磁波を放射するＣＲＴの全部又は一部を一時動作停止にすることにより、電磁波の影響を軽減することができ、通信装置と非接触媒体との間の通信を確実に行なうことができる。
（４）請求項４記載の発明は、前記ＣＲＴに検知センサとしてのタッチパネルを設け、該タッチパネルは非接触媒体がＣＲＴに接触した時に非接触媒体が近づいたと判定して前記制御手段に通知することを特徴とする。
【００１９】
このように構成すれば、操作者の視線移動が少なく、操作性が向上する。
（５）請求項５記載の発明は、前記ＣＲＴの断面構成は、最外側にタッチパネル、その内側にアンテナ、該アンテナの内側に電磁シールド、該電磁シールドの内側に表示面を形成したものであることを特徴とする。
【００２０】
このように構成すれば、ＣＲＴにタッチパネルを取り付けることができるので、操作性が向上する。
【００２１】
【発明の実施の形態】
以下、図面を参照して本発明の実施の形態例を詳細に説明する。
【００２２】
図２は本発明の一実施の形態例を示すブロック図である。図において、１，２はＣＲＴディスプレイで、１はディスプレイＡ、２はディスプレイＢである。なお、ディスプレイＡは通信装置本体（図示せず。例えばパーソナルコンピュータ等をいう）とは別に設けられた情報表示手段としてのディスプレイであり、通信装置本体からの情報を表示する。通信装置本体は、非接触媒体と無線通信方式により通信を行なう。また、ディスプレイＢは、ディスプレイＡとは別に設けられているものであり、通信装置本体を共有するか、又は別の通信装置等と接続されている場合とがある。
【００２３】
２０は非接触媒体であり、ここではスマートカードが用いられている。スマートカードはＩＣカードの一種である。スマートカード内部には、電波を受信して回路を動作させるための電圧を発生する電力発生部と、全体の動作を制御するＣＰＵと、各種の情報が記憶されるメモリと、通信装置と通信を行なうための通信制御手段と、アンテナ等とで構成されている。
【００２４】
３はディスプレイＡの外部に設けられたアンテナ、４はスマートカード２０が近づいたことを検知する検知センサである。前記アンテナ３としては、例えばループアンテナが用いられる。ループアンテナにすると、アンテナをパターンとしてプリントボードに組み込むことができ、都合がよい。検知センサ４としては、何らかの手段によりスマートカード２０が近づいたことを検知するものであれば、あらゆる種類の公知の技術を用いることができる。５はアンテナ３と接続され、スマートカード２０と無線で通信を行なうための通信制御手段である。１０は通信制御手段５と接続され、通信装置全体の動作を制御する制御手段である。該制御手段１０としては、例えばＣＰＵが用いられる。このように構成された装置の動作を制御すれば、以下の通りである。
【００２５】
検知センサ４は、スマートカード２０が近づくことを監視している。スマートカード２０が近づいたら、検知センサ４はそのことを検知し、制御手段１０に通知する。該制御手段１０はスマートカード２０が近づいたと認識し、ディスプレイＡの全部又は一部を動作停止にする。例えば、ディスプレイＡを全部動作停止にすると、ディスプレイＡから電磁波は放射しなくなる。
【００２６】
この結果、電磁波の影響を軽減することができ、通信制御手段５とスマートカード２０は、確実な通信を行なうことができる。
【００２７】
なお、検知センサ４の近くに配置されている別のディスプレイＢも好ましくは動作停止状態にしておくことが望ましい。この場合、よりノイズ（電磁波）の少ない環境で通信が可能となる。
【００２８】
図３は本発明の他の実施の形態例を示すブロック図である。図２と同一のものは、同一の符号を付して示す。この実施の形態例は、アンテナと検知センサをディスプレイＡの一部に設けたものである。図において、３はアンテナ、４は検知センサとしてのタッチパネルである。アンテナ３はタッチパネル４の奥に設けられている。
【００２９】
この装置の場合も、スマートカード２０が近づいてディスプレイの当該箇所の部分に接触すると、タッチパネル４はスマートカード２０が近づいたことを検知し、制御手段１０に通知する。該制御手段１０は、このことを認識すると、ディスプレイＡの全部又は一部を動作停止にする。この結果、電磁波の影響は軽減されるので、通信制御手段５とスマートカード２０は確実な通信を行なうことができる。
【００３０】
また、この実施の形態例によれば、検知センサとしてタッチパネルを用いているので、スマートカード２０が通信装置に近づいたことを確実に検知することができる。
【００３１】
図４はディスプレイの一部の断面構成例を示す図である。図３と同一のものは、同一の符号を付して示す。図において、４は最外部に設けられたタッチパネル、３はその内側に設けられたアンテナ、７は該アンテナ３の内側に設けられた電磁シールド、８は電磁シールド７の内側に設けられた表示面である。別の表現を用いると、アンテナ３と電磁シールド７とをタッチパネル４と表示面８で挟んだ構造である。
【００３２】
このように構成すれば、電磁シールド７により表示面８から放射される電磁波の透過を防ぎ、アンテナ３に電磁波が侵入することを防ぐことができる。また、この実施の形態例では、ディスプレイ面の一部或いは全部にタッチパネル４を取り付けているので、操作者の視線移動が少なく、操作性が向上する。また、ＣＲＴにタッチパネル４を取り付けることができるので、操作性が向上する。
【００３３】
図５、図６は本発明の動作の一例を示すフローチャートである。左側に動作フローを、右側にＣＲＴの表示を示す。先ず、制御手段１０からタッチパネル接触検出依頼を行なう（Ｓ１）。この結果、タッチパネル４はスマートカード２０が接触するのを待ち受ける状態になる。この場合において、スマートカード２０の接触検出はカード操作指示部（タッチパネル４）で行なう。スマートカード２０がタッチパネル４に接触すると、制御手段１０（図３参照）はタッチパネル接触検出メッセージ受信処理を行なう（Ｓ２）。
【００３４】
次に、スマートカード２０の検出が正常であるかどうかをチェックする（Ｓ３）。接触が正常でなかった場合には、制御手段１０はＣＲＴ面に異常メッセージを表示し（Ｓ４）、復旧処理を行ない（Ｓ５）、ステップＳ１に戻る。ステップＳ３で検出が正常であった場合には、画面表示を変更する（Ｓ６）。具体的には、図に示すように画面のカード操作指示画面の表示をブラック画面に変更する。この結果、カードとアンテナ部分が白抜きで浮き上がる表示となる。
【００３５】
次に、制御手段１０は、カード通信を通信制御手段５（図３参照）に対して指示する（Ｓ７）。この結果、ＣＲＴ画面には、カードとアンテナが通信中であることを示す記号（矢印）が表示され、また別途通信中であることを示す表示がＣＲＴ画面の一部になされる。通信動作が終了すると、通信制御手段５は制御手段１０に対してカード通信終了を通知し、制御手段１０はカード通信終了を受信する（Ｓ８）。
【００３６】
この場合において、制御手段１０はカード通信終了が正常終了であったかどうかをチェックする（Ｓ９）。正常終了でなかった場合には、異常メッセージを表示し（Ｓ４）、復旧処理を行ない（Ｓ５）、ステップＳ１に戻る。正常終了であった場合には、制御手段１０は画面表示をもとに戻す（Ｓ１０）。そして、スマートカード２０はその場所を離れる。ＣＲＴの表示は、元の表示に戻る。
【００３７】
上述の実施の形態例では、非接触媒体としてスマートカードが用いられた場合を例にとったが、本発明はこれに限るものではない。他の種類のＩＣカードや、その他の非接触媒体を用いることができる。
【００３８】
また、非接触媒体の接近を検知するセンサも、ＣＲＴに取り付けたタッチパネルに限るものではなく、その他の種類の公知のものを用いることができる。
【００３９】
【発明の効果】
以上説明したように、本発明によれば、以下の効果が得られる。
（１）請求項１記載の発明によれば、通信装置と非接触媒体との間で通信を行なう時に、電磁波を放射するＣＲＴの全部又は一部を一時動作停止にすることにより、電磁波の影響を軽減することができ、通信装置と非接触媒体との間の通信を確実に行なうことができる。
（２）請求項２記載の発明によれば、非接触媒体が通信装置に近づいたことを確実に検知することができる。
（３）請求項３記載の発明によれば、通信装置と非接触媒体との間で通信を行なう時に、電磁波を放射するＣＲＴの全部又は一部を一時動作停止にすることにより、電磁波の影響を軽減することができ、通信装置と非接触媒体との間の通信を確実に行なうことができる。
（４）請求項４記載の発明によれば、操作者の視線移動が少なく、操作性が向上する。
（５）請求項５記載の発明によれば、ＣＲＴにタッチパネルを取り付けることができるので、操作性が向上する。
【００４０】
このように、本発明によれば、通信装置と非接触媒体との間の通信を確実に行なうことができる非接触媒体との通信方法及び装置を提供することができる。
【図面の簡単な説明】
【図１】本発明の原理を示すフローチャートである。
【図２】本発明の一実施の形態例を示すブロック図である。
【図３】本発明の他の実施の形態例を示すブロック図である。
【図４】ディスプレイの一部の断面構成を示す図である。
【図５】本発明の動作の一例を示すフローチャートである。
【図６】本発明の動作の一例を示すフローチャートである。
【符号の説明】
１　ディスプレイ
２　ディスプレイ
３　アンテナ
４　検知センサ
５　通信制御手段
１０　制御手段
２０　スマートカード
【図１】
2004133674.tif 000003
【図２】
2004133674.tif 000004
【図３】
2004133674.tif 000005
【図４】
2004133674.tif 000006
【図５】
2004133674.tif 000007
【図６】
2004133674.tif 000008